(57)【要約】【課題】組付け時に容易に位置決めでき、組付け作業性や位置決め精度の向上等を図ることのできるウエザストリップ及びその組付方法を提供する。【解決手段】ウエザストリップ５は、ドア４に取着される本体部１１と、当該本体部１１の取着完了後に切除される組付補助部１２とからなる。ウエザストリップ５の組付手順としては、先ず組付補助部１２をドア４のフランジ２８に嵌め込み、ウエザストリップ５を仮止めする。続いて、本体部１１を押えつつ、本体部１１裏面に貼付された両面接着テープ２０の離型紙２１を引っ張って剥がしていき、本体部１１をドア４の取着部２９に接着固定する。本体部１１の取着後、本体部１１と組付補助部１２の接合部２３，２４を引き裂きつつ、組付補助部１２を引っ張ってフランジ２８から取外していくことで、本体部１１から組付補助部１２を切除する。これによりウエザストリップ５の組付けが完了する。【選択図】      図５
2008265498.tif 000002
【特許請求の範囲】
【請求項１】
車両本体の開口部の縁部又は当該開口部を開閉する開閉部材の縁部に形成された略平坦な取着部位に対し接着固定されるウエザストリップの組付方法であって、
前記ウエザストリップの本体部に対し切離可能に一体形成された組付補助部を、前記取着部位の近傍に設けられたフランジに対し組付け、仮止めする仮止め工程と、
前記仮止めした状態で前記本体部を接着手段を介して接着固定する接着工程と、
前記本体部の接着後において、前記本体部から前記組付補助部を切除する切除工程とを備えたことを特徴とするウエザストリップの組付方法。
【請求項２】
前記接着手段として、一方が前記本体部に貼付されかつ他方に剥離可能な離型紙が貼付された両面接着テープを用いるとともに、
前記接着工程においては、前記本体部を押えつつ、前記フランジとは反対方向に前記離型紙を引っ張って剥がしていくことで接着固定を行うことを特徴とする請求項１に記載のウエザストリップの組付方法。
【請求項３】
車両本体の開口部の縁部又は当該開口部を開閉する開閉部材の縁部に形成された略平坦な取着部位に対し接着手段により固定される基部と、前記車両本体と前記開閉部材との間をシールするシール部とを備えたウエザストリップであって、
前記基部及びシール部からなる本体部に対し切離可能に一体形成されるとともに、前記本体部の接着前において前記取着部位の近傍に設けられたフランジに対し組付けられ、前記本体部の接着後において前記本体部から切除される組付補助部を備えたことを特徴とするウエザストリップ。
【請求項４】
前記組付補助部は、前記フランジを挟持するよう断面略Ｕ字状に形成されていることを特徴とする請求項３に記載のウエザストリップ。
【請求項５】
前記組付補助部は、前記基部から延出したリップ部に接合されていることを特徴とする請求項３又は４に記載のウエザストリップ。
【請求項６】
前記組付補助部は、ソリッド弾性材料よりなることを特徴とする請求項３乃至５のいずれか一項に記載のウエザストリップ。
【請求項７】
前記組付補助部は、１つの接合部を介して前記本体部と接合されていることを特徴とする請求項３乃至６のいずれか一項に記載のウエザストリップ。
【請求項８】
前記組付補助部は、複数の接合部を介して前記本体部と接合されていることを特徴とする請求項３乃至６のいずれか一項に記載のウエザストリップ。
【発明の詳細な説明】
【技術分野】
【０００１】
本発明は、自動車等の車両に取着されるウエザストリップ及びその組付方法に関するものである。
【背景技術】
【０００２】
一般に、自動車等の車両には、ボディの開口部周縁と、当該開口部を開閉する開閉部材の周縁との間をシールするためにウエザストリップが取着されている。ドア周縁に取着されるウエザストリップを例にとると、当該ウエザストリップは、ドア周縁に取着される基部と、当該基部から突出した中空状のシール部とを備え、ドア閉時においてシール部が相手側部材であるボディのドア開口周縁に当接又は圧接することで、ボディとドアとの間をシールする。
【０００３】
従来、ウエザストリップは、ドア周縁等の取着部位に対し、クリップ等の固定部材により固定されたり、取着部位に設けられた断面略Ｃ字状のリテーナに嵌め込むようにして組付けられていた。
【０００４】
これに対し、近年、取着部位となるドア周縁等の構成によっては、ウエザストリップが両面接着テープ等の接着手段によりドア周縁等に接着固定される構成も見受けられる（例えば、特許文献１参照。）。このようなウエザストリップの組付作業では、例えば先ず基部に両面接着テープを貼った上で、ウエザストリップをドア周縁等に位置決めする。そして、基部を押えつつ両面接着テープの離型紙を引っ張って剥がしていくことで、ウエザストリップをドア周縁等に接着固定する。
【特許文献１】特開２００１−１６３０６２号公報
【発明の開示】
【発明が解決しようとする課題】
【０００５】
しかしながら、ウエザストリップを接着固定する構成とした場合、通常、取着部位となるドア周縁等には、クリップ嵌め込み用の孔部やリテーナ等が設けられていないため、ウエザストリップ組付け時における位置決め作業が難しく、組付け作業性が低下するおそれがある。また、結果的に、ウエザストリップの接着位置が適正位置から外れてしまったり、ウエザストリップが波打って固定されてしまうといった不具合も生じやすい。このようになった場合には、シール性の低下や外観品質の低下も懸念される。
【０００６】
本発明は上記事情に鑑みてなされたものであり、その目的は、組付け時に容易に位置決めでき、組付け作業性や位置決め精度の向上等を図ることのできるウエザストリップ及びその組付方法を提供することにある。
【課題を解決するための手段】
【０００７】
以下、上記問題を解決するのに適した各手段につき項分けして説明する。なお、必要に応じて対応する手段に特有の作用効果等を付記する。
【０００８】
手段１．車両本体の開口部の縁部又は当該開口部を開閉する開閉部材の縁部に形成された略平坦な取着部位に対し接着固定されるウエザストリップの組付方法であって、
前記ウエザストリップの本体部に対し切離可能に一体形成された組付補助部を、前記取着部位の近傍に設けられたフランジに対し組付け、仮止めする仮止め工程と、
前記仮止めした状態で前記本体部を接着手段を介して接着固定する接着工程と、
前記本体部の接着後において、前記本体部から前記組付補助部を切除する切除工程とを備えたことを特徴とするウエザストリップの組付方法。
【０００９】
上記手段１によれば、組付補助部をフランジに組付け、仮止めした状態で、ウエザストリップの本体部の接着作業を行うことができる。このため、ウエザストリップ組付け時において、クリップ等に頼ることなく、組付補助部を基準にして位置決め作業を容易に行うことができる。結果として、組付け作業性や位置決め精度を向上することができる。ひいては、ウエザストリップの接着位置が適正位置から外れてしまったり、ウエザストリップが波打って固定されてしまうといった不具合も発生しにくくなり、シール性の低下や外観品質の低下が抑制される。
【００１０】
また、仮に組付補助部が本体部から切離不能に設けられている場合にも、本体部の接着後に開閉部材の縁部等に余分な部分が残ることで、外観品質の低下やシール性の低下が懸念される。これに対し、本手段によれば、開閉部材の縁部等に残る部分を最小限に留めることができ、そのような不具合は回避できる。見方を変えると、組付補助部が切除される構成としたことで、当該組付補助部を比較的大きく形成しておくこともできるため、仮止め状態の安定性をより高めることができる。一方で、組付補助部をいくら大きくしたとしても本体部の接着後には切除されるため、外観品質やシール性の低下を招くことはない。
【００１１】
また、仮に組付補助部を本体部とともに一体成形せず、本体部成形後に当該本体部に組付ける構成とした場合には、生産コストの増大や製造工程の複雑化等といった不具合を招くおそれがあるが、予め本体部とともに組付補助部を一体成形しておくことにより、そのような不具合は回避できる。さらに、組付補助部を予め一体成形しておくことで、組付補助部を本体部に組付ける際の組付け誤差等も発生しないため、位置決め精度の向上を図ることができる。
【００１２】
手段２．前記接着手段として、一方が前記本体部に貼付されかつ他方に剥離可能な離型紙が貼付された両面接着テープを用いるとともに、
前記接着工程においては、前記本体部を押えつつ、前記フランジとは反対方向に前記離型紙を引っ張って剥がしていくことで接着固定を行うことを特徴とする手段１に記載のウエザストリップの組付方法。
【００１３】
上記手段２によれば、フランジ側に向け力を加えて本体部を押えつつ、離型紙を引っ張り剥がすことができ、接着作業が行いやすくなるため、組付け作業性や位置決め精度のさらなる向上を図ることができる。
【００１４】
また、仮に離型紙を剥がした状態や、両面接着テープに代えて接着剤を塗布した状態で、仮止め工程ひいては接着工程を行おうとした場合には、接着面が露出した状態となるため、当該接着面が関係ない部位に触れないように気を使いながら作業を行わなければならず、作業性が低下するおそれがある。これに対し、本手段では、仮止め後に両面接着テープの離型紙を剥がすことで、そのような不具合は回避できる。
【００１５】
手段３．車両本体の開口部の縁部又は当該開口部を開閉する開閉部材の縁部に形成された略平坦な取着部位に対し接着手段により固定される基部と、前記車両本体と前記開閉部材との間をシールするシール部とを備えたウエザストリップであって、
前記基部及びシール部からなる本体部に対し切離可能に一体形成されるとともに、前記本体部の接着前において前記取着部位の近傍に設けられたフランジに対し組付けられ、前記本体部の接着後において前記本体部から切除される組付補助部を備えたことを特徴とするウエザストリップ。
【００１６】
上記手段３によれば、上記手段１と同様の作用効果が奏される。
【００１７】
手段４．前記組付補助部は、前記フランジを挟持するよう断面略Ｕ字状に形成されていることを特徴とする手段３に記載のウエザストリップ。
【００１８】
上記手段４によれば、仮止め状態の安定性が高くなり、上記手段３の作用効果をより高めることができる。
【００１９】
手段５．前記組付補助部は、前記基部から延出したリップ部に接合されていることを特徴とする手段３又は４に記載のウエザストリップ。
【００２０】
上記手段５によれば、組付補助部をフランジに組付け、仮止めした状態でも基部の自由度が低下しにくくなるため、比較的スムーズに接着作業を行うことができ、作業性の低下を抑制することができる。また、組付補助部の切除作業も比較的行いやすくなる。さらに、基部とリップ部との間にノッチ等の切込み部を設けておけば、さらに基部の自由度を高めることができる。
【００２１】
手段６．前記組付補助部は、ソリッド弾性材料よりなることを特徴とする手段３乃至５のいずれかに記載のウエザストリップ。
【００２２】
上記手段６によれば、組付補助部に適度な剛性を確保することができ、形状安定性ひいては仮止め状態の安定性を高め、上記手段３等の作用効果をさらに高めることができる。
【００２３】
手段７．前記組付補助部は、１つの接合部を介して前記本体部と接合されていることを特徴とする手段３乃至６のいずれかに記載のウエザストリップ。
【００２４】
上記手段７によれば、接合箇所が一箇所であるため、組付補助部の切除作業を容易に行うことができ、作業性の向上を図ることができる。
【００２５】
手段８．前記組付補助部は、複数の接合部を介して前記本体部と接合されていることを特徴とする手段３乃至６のいずれかに記載のウエザストリップ。
【００２６】
上記手段８によれば、複数箇所で接合されることにより、本体部の姿勢も維持しやすくなるため、仮止め状態の安定性を高め、上記手段３等の作用効果をさらに高めることができる。
【発明を実施するための最良の形態】
【００２７】
以下に一実施形態について図面を参照して説明する。本実施形態では、自動車のリアドアの後縁部に沿って取着されるウエザストリップを例にして説明する。
【００２８】
図１に示すように、自動車１には、車両本体としてのボディ２のドア開口部３に開閉部材としてのリアドア４（以下、単にドアという）が取着されている。そして、ドア４の後縁部のベルトラインより下方位置には、長尺状のウエザストリップ５が取着されている。
【００２９】
図２に示すように、ウエザストリップ５は、所定の押出成形機によりほぼ直線状に形成された押出成形部７と、当該押出成形部７の一端部に接続されるようにして所定の金型装置によって形成された型成形部８とからなる。
【００３０】
このうち、ウエザストリップ５の一般部である押出成形部７は、実際にシール部材としてドア４に取着される本体部１１（図３参照）と、当該本体部１１の取着完了後に切除される組付補助部１２とからなる。組付補助部１２は押出成形部７の長手方向略全域に設けられている。なお、図３は、本体部１１を示す部分斜視図である。
【００３１】
図３，４に示すように、本体部１１は、ドア４に固定される略平板状の基部１４と、当該基部１４の車外側端部（図４右側）から延出し、車外側に向け緩やかに湾曲したリップ部１５と、当該リップ部１５の付根部近傍から車内側（図４左側）へ延出したシール部としてのシールリップ１６とを備えている。なお、図４は、図２のＪ−Ｊ線部分断面図である。
【００３２】
基部１４及びリップ部１５は、両者で略く字形状をなすように形成されており、両者の連結部分となるリップ部１５の付根部は、その車内側にノッチ１７が形成されることにより、他の部位よりも薄肉となっている。これは両者を屈曲しやすくし、後述する組付作業を行いやすくするためである。
【００３３】
また、基部１４の裏面には、その幅方向（図３左右方向）略全域にわたる溝部１８が長手方向に沿って形成されており、当該溝部１８に沿って接着手段としての両面接着テープ２０が貼付されている。なお、ウエザストリップ５の組付前においては、両面接着テープ２０の他方面に離型紙２１が貼付されている。
【００３４】
一方、組付補助部１２は、断面略Ｕ字状に形成されている。組付補助部１２は、リップ部１５の車外側において、当該リップ部１５の先端部近傍と付根部近傍に接合された状態で、本体部１１とともに共押出成形されている。両接合部２３，２４は比較的薄肉に形成されており、組付補助部１２が本体部１１から切離可能となっている。
【００３５】
本実施形態におけるウエザストリップ５は、弾性材料（ゴム材料）としてのＥＰＤＭ（エチレン−プロピレン−ジエン共重合）ゴムにより形成されている。より詳しくは、ウエザストリップ５のうち、基部１４、リップ部１５及び組付補助部１２がＥＰＤＭソリッドゴムよりなり、シールリップ１６がＥＰＤＭスポンジゴムよりなる。
【００３６】
次に、上記のように構成されたウエザストリップ５の組付方法について図５，６を参照して説明する。図５は仮止めした状態のウエザストリップ５を示す断面図であり、図６は組付けが完了した状態のウエザストリップ５を示す、図１のＫ−Ｋ線部分断面図である。
【００３７】
先ずウエザストリップ５が取着されるドア４の後縁部の構成について説明する。ドア４は、インナーパネル４ａとアウターパネル４ｂとから構成されている。
【００３８】
ドア４の後縁部には、インナーパネル４ａの端縁部を挟むようにアウターパネル４ｂの端縁部を折り曲げるヘミング加工が施され、両パネル４ａ，４ｂが一体的に接合されることにより、フランジ２８が形成されている。
【００３９】
フランジ２８の車内側には、インナーパネル４ａが折り曲げ形成されることで、ウエザストリップ５の取着部２９が形成されている。取着部２９は、フランジ２８の延出方向と略直交するように略平坦に形成されている。
【００４０】
また、フランジ２８の車内側側面には、当該フランジ２８が所定の厚みを持つように補助壁部３０が組付けられている。これは、組付補助部１２がフランジ２８を挟持しやすいようにするためである。
【００４１】
ウエザストリップ５の組付手順としては、図５に示すように、両面接着テープ２０に離型紙２１を貼付した状態のまま、先ず組付補助部１２をドア４のフランジ２８に嵌め込み、ウエザストリップ５を仮止めする（仮止め工程）。これに合わせて、ウエザストリップ５の長手方向に対する位置決めを行う。
【００４２】
次に、作業者の手や治具などで本体部１１をフランジ２８側に押さえつけるようにして、ウエザストリップ５の幅方向に対する位置決めを行うとともに、両面接着テープ２０（離型紙２１）をドア４の取着部２９にしっかりと面接触させる。
【００４３】
この状態で、本体部１１を押えつつ、フランジ２８とは反対方向である車内側方向へ離型紙２１を引っ張って剥がしていき、本体部１１（基部１４）を取着部２９に接着固定する（接着工程）。
【００４４】
本体部１１の取着後、本体部１１と組付補助部１２の接合部２３，２４を引き裂きつつ、組付補助部１２を引っ張ってフランジ２８から取外していくことで、本体部１１から組付補助部１２を切除する（切除工程）。これによりウエザストリップ５の組付けが完了する。
【００４５】
このように組付けられたウエザストリップ５は、ドア４の閉時において、シールリップ１６がドア開口部３の縁部に弾性的に当接又は圧接することによって、ボディ２とドア４との間をシールする。
【００４６】
以上詳述したように、本実施形態では、組付補助部１２をフランジ２８に組付け、仮止めした状態で、ウエザストリップ５の本体部１１の接着作業を行うことができる。このため、ウエザストリップ５の組付け時において、クリップ等に頼ることなく、組付補助部１２を基準にして位置決め作業を容易に行うことができる。結果として、組付け作業性や位置決め精度を向上することができる。ひいては、ウエザストリップ５の接着位置が適正位置から外れてしまったり、ウエザストリップ５が波打って固定されてしまうといった不具合も発生しにくくなり、シール性の低下や外観品質の低下が抑制される。
【００４７】
また、ウエザストリップ５の組付け後、組付補助部１２が本体部１１から切除されるため、ドア４の縁部に取着される部分を最小限に留めることができる。従って、組付け完了後にドア４の縁部に余分な部分が残ることで、外観品質の低下やシール性が低下することもない。さらに、組付補助部１２が切除される構成としたことで、当該組付補助部１２をどのような形状や大きさに形成しておいても何ら問題ないため、比較的大きく形成しておくことで仮止め状態の安定性をより確実に得ることができる。
【００４８】
加えて、本実施形態では、組付補助部１２が本体部１１とともに共押出成形されている。従って、本体部１１の成形後に後付けで組付補助部１２を組付ける構成に比べて、生産コストの増大や製造工程の複雑化等といった不具合を抑制することができる。また、本体部１１に組付補助部１２を後付けで組付ける際の組付け誤差等も発生しないため、ウエザストリップ５の位置決め精度に与える影響を小さく抑えることができる。
【００４９】
また、本実施形態のように、仮止め後に離型紙２１を剥がして接着作業を行う構成とすることで、仮止め作業中に両面接着テープ２０の接着面が、関係ない部位に接触してしまうといった不具合もなく、組付け作業性に優れる。さらに、本実施形態のように、フランジ２８側に本体部１１を押えつつ、フランジ２８とは反対方向に離型紙２１を引っ張り剥がすようにすることで、接着作業を行いやすくなる。
【００５０】
また、本実施形態では、基部１４から延出したリップ部１５に組付補助部１２が接合されているため、組付補助部１２をフランジ２８に組付け、仮止めした状態でも基部１４の自由度が低下しにくい。このため、比較的スムーズに基部１４の接着作業を行うことができるとともに、組付補助部１２の切除作業も比較的行いやすくなる。
【００５１】
さらに、本実施形態では、組付補助部１２が、複数の接合部２３，２４を介してリップ部１５と接合されているため、仮止め時における本体部１１の姿勢を維持しやすく、仮止め状態の安定性を高めることができる。
【００５２】
加えて、組付補助部１２はＥＰＤＭソリッドゴムにより形成されているため、適度な剛性を確保することができ、形状安定性ひいては仮止め状態の安定性を高めることができる。
【００５３】
また、リップ部１５が設けられていることにより、ドア４閉時のオーバーストロークによるボディ２とドア４との直接接触が防止され、両者の衝突音が発生しにくくなる。また、ドア４開時においてもフランジ２８の内側が隠されるため、外観品質の向上を図ることができる。
【００５４】
尚、上記実施形態の記載内容に限定されず、例えば次のように実施してもよい。勿論、以下において例示しない他の応用例、変更例も当然可能である。
【００５５】
（ａ）上記実施形態では、リアドア４に取着されるウエザストリップ５を例にしているが、取着部位によっては限定されず、ボディ２のドア開口部３の周縁などに取着されるウエザストリップにも適用することもできる。
【００５６】
例えば、図７に示すように、トランクルームの開口部周縁４０に取着されるトランク用ウエザストリップ４１として実施してもよい。トランク用ウエザストリップ４１は、両面接着テープ４２によりトランクルームの開口部周縁４０に接着固定される基部４３と、当該基部４３に一体形成された中空状のシール部４４とを備えている。そして、トランクリッド４６の閉時には、シール部４４が潰れ変形することで、トランクルームの開口部周縁４０とトランクリッド４６との間がシールされる。
【００５７】
また、ウエザストリップ４１の組付け前において、基部４３の車外側端部（図７上側）には、薄肉の接合部４８を介して断面略Ｕ字状の組付補助部５０が一体形成されている。そして、ウエザストリップ４１の組付けの際には、トランクルームの開口部周縁４０に設けられたフランジ５１に対し組付補助部５０を嵌め込み、仮止めした状態で接着作業を行う。作業終了後には、組付補助部５０は基部４３から切除される。
【００５８】
（ｂ）上記実施形態におけるウエザストリップ５は、ドア４周縁の一部に部分的に取着されるタイプであるが、これに限らず、ドア４周縁の全周にわたって取着される環状タイプに適用してもよい。
【００５９】
（ｃ）上記実施形態では、組付補助部１２がフランジ２８を挟持するように断面略Ｕ字状に形成されているが、形状等はこれに限定されるものではない。例えば、フランジ２８に引っ掛かるような鉤状の形状を採用してもよい。
【００６０】
（ｄ）上記実施形態では、基部１４から延出したリップ部１５に組付補助部１２が接合されているが、これに限らず、基部１４に接合された構成としてもよい。勿論、シール部の構成によっては、シール部に接合される構成としてもよい。
【００６１】
（ｅ）上記実施形態では、組付補助部１２が、複数の接合部２３，２４を介してリップ部１５と接合されているが、これに限らず、１箇所で接合される構成としてもよい。接合箇所が一箇所であると、組付補助部１２の切除作業を容易に行うことができ、作業性の向上を図ることができる。
【００６２】
（ｆ）上記接合部２３のように成形時に接合範囲が比較的広くなりがちな接合箇所においては、例えば組付補助部１２の側面部を断面略鋸歯状に形成して、複数接点で接合されるような構成としてもよい。
【００６３】
（ｇ）上記実施形態では、ウエザストリップ５の素材（弾性材料）としてＥＰＤＭゴムを採用しているが、その外にもスチレンブタジエンゴム、ブタジエンゴム、クロロプレンゴム、ブチルゴム、ニトリルゴム、エチレンプロピレン共重合ゴム、アクリルゴム等の各種ゴム材料、又は、オレフィン系熱可塑性エラストマー（ＴＰＯ）或いは軟質のポリ塩化ビニル等のゴム状弾性を有する他の弾性材料により構成してもよい。
【００６４】
また、組付補助部１２の厚みをより厚肉にするなど、ある程度の剛性を確保できるのであれば、組付補助部１２をＥＰＤＭスポンジゴム等、スポンジ弾性材料により形成してもよい。
【００６５】
（ｈ）上記実施形態では、組付補助部１２が押出成形部７の長手方向略全域にわたって設けられている。これに限らず、組付補助部１２が押出成形部７の長手方向に沿って間欠的に設けられた構成としてもよい。また、押出成形部７のみならず、型成形部８にも組付補助部１２が形成された構成としてもよい。また、ウエザストリップ５全体が押出成形体又は型成形体により構成されていてもよい。
【００６６】
（ｉ）組付手順に関しても、上記実施形態に限定されるものではない。例えば、予め離型紙２１を剥がした状態で仮止め作業ひいては接着作業を行う構成としてもよい。
【００６７】
（ｊ）接着手段に関しても、両面接着テープ２０に限定されるものではなく、接着剤など他の接着手段を採用してもよい。
【図面の簡単な説明】
【００６８】
【図１】自動車の側面図である。
【図２】ウエザストリップの正面図である。
【図３】ウエザストリップの本体部を示す部分斜視図である。
【図４】図２のＪ−Ｊ線部分断面図である。
【図５】仮止めした状態のウエザストリップを示す部分断面図である。
【図６】組付けが完了した状態のウエザストリップを示す、図１のＫ−Ｋ線部分断面図である。
【図７】別の実施形態におけるウエザストリップを示す断面図である。
【符号の説明】
【００６９】
１…自動車、２…ボディ、３…ドア開口部、４…リアドア、５…ウエザストリップ、１１…本体部、１２…組付補助部、１４…基部、１５…リップ部、１６…シールリップ、２０…両面接着テープ、２１…離型紙、２３，２４…接合部、２８…フランジ、２９…取着部。
【図１】
2008265498.tif 000003
【図２】
2008265498.tif 000004
【図３】
2008265498.tif 000005
【図４】
2008265498.tif 000006
【図５】
2008265498.tif 000007
【図６】
2008265498.tif 000008
【図７】
2008265498.tif 000009